(57)【特許請求の範囲】
【請求項１】
床と該床から立ち上がる壁又は屋根と該屋根から立ち上がる壁の防水構造であって、
壁の所定位置に該壁の奥側に形成した底面と該底面から壁の表面に向けて寸法が大きくなるように傾斜した該底面の上側及び下側に位置する傾斜面とを有するとともに、該底面と該下側に位置する傾斜面との間に水平面を有する溝を形成し、
前記溝に、溝の底面に沿った起立片と該起立片に連続し溝の奥行き寸法と略等しい挿入片と該挿入片と連続し壁の溝よりも下方の表面に沿った立上片とを有する水切金物を挿入して前記水平面に該水切金物の起立片及び挿入片の一部を載置した状態で固定し、
更に、前記水切金物の挿入片と前記底面の上側に位置する傾斜面との間に形成された空隙にシーリング材を充填したことを特徴とする壁の防水構造。
【発明の詳細な説明】
【０００１】
【発明の属する技術分野】
本発明は、床と壁或いは屋根と壁の取り合い部分の防水構造に関し、特に施工性を向上させることが出来る壁の防水構造に関するものである。
【０００２】
【従来の技術】
住宅等の建築物では、ベランダや屋上或いは下屋等が設けられることが多い。ベランダや屋上を構成する床或いは下屋を構成する屋根と、これらの床や屋根から立ち上がる外壁や腰壁等の壁との交差部の近傍には、該交差部に沿って壁側に防水工事が施工される。
【０００３】
住宅に於ける防水構造の例について図５により説明する。図に於いて、床51から立ち上がる壁52には、床51に沿って水平方向に且つ該床51と等しい長さにわたって溝53が形成され、この溝53に長尺状の水切金物54の先端部分が挿入されて壁52に固定されている。そして水切金物54の溝53に挿入された部位の表面、及び溝53の表面にシーリング56の接着性能を強化するためのシーリングプライマー55が施され、該シーリングプライマー55にシーリング56が塗布されて溝53に充填されることで、防水性能を発揮し得るように構成されている。前記水切金物54の下側には、床51の全面にわたって敷き込まれると共に壁52の表面に沿って立ち上がった図示しない防水シートが配置されており、この防水シートの先端部分が水切金物54に溶着或いは接着されて壁52に固定されている。
【０００４】
溝53は壁52を構成する部材間に形成された目地を利用するものではなく、防水施工を行なうことを目的として形成されるものである。このため、壁52に対して溝53を形成するに際し、該壁52が軽量気泡コンクリートパネルに代表される壁パネルで構成されている場合には、予め設定された径と長さを持ったルータービットをドライバに取り付けて回転させることで壁52を切削加工している。従って、形成された溝53は、ルータービットの径に対応した高さ寸法と奥行き寸法を持った長方形或いは矩形状に形成されている。また壁52が前記壁パネル以外の材料によって構成されている場合であっても、溝は矩形状に形成されるのが一般的である。
【０００５】
【発明が解決しようとする課題】
上記防水構造では、充分に高い防水性能を発揮することが出来る。しかし、ベランダや屋上の壁に形成される溝は、壁に開口部が形成されることや他方の壁が腰壁であること、或いは防水シートや防水保護材を短くするために比較的に床に接近しており、且つ屋根の壁に形成される溝も外観性能を保持するために屋根面に接近している。このため、溝の上面が庇のように機能して該溝を覆って内部を視認し難くし、この溝にシーリングプライマーを施したり、シーリングを塗布する際に作業員が屈んで作業を行なわねばならず、作業性が劣るという問題が生じている。
【０００６】
また溝にシーリングプライマーを施工した後、該溝にシーリングを施工するに先立ってシーリングプライマーの塗布状態を確認する作業を行なうが、溝の内部を視認することが困難であり、作業員に窮屈な姿勢を強いることになるという問題も生じる。
【０００７】
本発明の目的は、床と壁或いは屋根と壁との取り合い部であって、床や屋根に接近した部位に防水施工する際に、作業性を向上させることが出来る防水構造を提供することにある。
【０００８】
【課題を解決するための手段】
上記課題を解決するために本発明に係る壁の防水構造は、床と該床から立ち上がる壁又は屋根と該屋根から立ち上がる壁の防水構造であって、壁の所定位置に該壁の奥側に形成した底面と該底面から壁の表面に向けて寸法が大きくなるように傾斜した該底面の上側及び下側に位置する傾斜面とを有するとともに、該底面と該下側に位置する傾斜面との間に水平面を有する溝を形成し、前記溝に、溝の底面に沿った起立片と該起立片に連続し溝の奥行き寸法と略等しい挿入片と該挿入片と連続し壁の溝よりも下方の表面に沿った立上片とを有する水切金物を挿入して前記水平面に該水切金物の起立片及び挿入片の一部を載置した状態で固定し、更に、前記水切金物の挿入片と前記底面の上側に位置する傾斜面との間に形成された空隙にシーリング材を充填したものである。
【０００９】
上記壁の防水構造では、壁に形成される溝が、該壁の奥側に形成された底面と、この底面から壁の表面に向けて寸法が大きくなる傾斜面とを有して形成されるため、作業員の目線が斜め上方であっても溝の内部を容易に視認することが出来る。このため、シーリングプライマーを塗布する作業及び塗布されたシーリングプライマーを確認する作業、更に、シーリング材を充填する作業を容易に行なうことが可能となり、作業性の向上をはかることが出来る。
【００１０】
また、溝に水切金物を挿入したとき、該水切金物の起立片と挿入片の一部を水平面に載置することで保持することが出来る。このため、水切金物を壁に固定する際に、該水切金物が安定し姿勢を保持することが可能となり、作業性を向上することが出来る。
【００１１】
【発明の実施の形態】
以下、上記壁の防水構造の好ましい実施形態について説明する。
【００１２】
本発明に係る防水構造は、ベランダや屋上の床や屋根に沿って外壁や腰壁の表面に水平方向に形成された溝を、壁の奥側に形成した底面と、この底面から壁の表面側に向けて寸法が大きくなるように傾斜した該底面の上側に位置する傾斜面とを有することで外部から視認し易い形状とし、該溝に先端に起立片を設けた挿入片を挿入して水切金物を固定することで、溝に挿入された水切金物の挿入片と、溝の傾斜面との間に対するシーリング材の充填作業や、シーリング材の充填に先立って行なわれるシーリングプライマーの施工に対する作業性の向上をはかり、これらの作業を安定した状態で且つ確実に実施し得るようにすると共に作業員の労力を削減し得るようにしたものである。
【００１３】
この発明では、床と該床から立ち上がる壁、或いは屋根と該屋根から立ち上がる壁のように、壁に形成される溝が床面や屋根面に接近しており、作業員が溝に対してシーリングプライマーを施工する作業、シーリング材を塗布，充填する作業を実施する際に、窮屈な姿勢を保持せざるを得ないような場合に特に有利である。
【００１４】
シーリングプライマーは、溝を構成する壁の壁材や水切金物に対し、シーリング材の接着性を補強するために用いるものであり、特に、シーリングプライマーを塗布していない部位ではシーリング材の正常な接着力を確保し得ない。このため、溝にシーリング材を塗布，充填する作業の実施に先立って、該溝にシーリングプライマーが確実に塗布されているか否かを確認する作業を行なうことが必要となる。
【００１５】
例えば、上記溝が床面や屋根面から約50cm以下の高さに形成されているような場合、作業員は相当程度窮屈な姿勢を強いられることとなるため、本発明はこのような溝を形成せざるを得ないような部位の防水構造としたとき極めて有利である。しかし必ずしも床面や屋根面からの溝の形成高さを限定するものではなく、前記寸法よりも高い部位に形成された場合であっても、作業性を向上させることが可能であり、該作業性の向上に伴って高い精度を持った防水構造とすることが可能である。
【００１６】
溝は、奥側の底面と底面の上側に位置する傾斜面とを有している。底面の形状や高さ寸法及び深さ寸法は特に限定するものではなく、防水性能に対し充分な信頼性を発揮し得る量のシーリング材を塗布，充填し得る寸法であれば良い。このため、底面の高さ寸法や深さ寸法は経験的に設定され、底面の形状は溝を形成する際の加工手段に応じて設定される。
【００１７】
上記傾斜面は、溝の内部を視認し易くする機能を有するものであり、この機能を発揮し得る形状と寸法を有するものであれば良く、傾斜面の傾斜角度を限定するものではない。また傾斜面は必ずしも底面側から壁の表面側に向けて直線的な面として形成される必要もなく、底面側の寸法よりも壁の表面側の寸法が大きければ、曲面状の面であっても良い。傾斜面を直線的な面として形成するか、曲線的な面として形成するかは、溝を形成する際の加工手段によって決定される。
【００１８】
溝に対するシーリング材の塗布，充填は、該溝に挿入された水切金物の挿入片の上表面と、前記上表面と対向する溝の傾斜面とによって形成された空隙になされる。このため、溝に於ける下側の面（水切金物の挿入片の下側になる面）は如何なる面であっても良い。即ち、溝の下側の面は水平な面であって良く、或いは傾斜面であっても良い。
【００１９】
壁に対する溝の形成は、工場段階で行なうことが可能であり、建築現場で行なうことも可能である。工場段階で溝を形成する場合、加工方法や加工手段の選択肢が多く、溝の下面を水平面として上面側のみを傾斜面とするような加工を施すことが可能である。また建築現場で溝を形成する場合、手作業によることが多くなり、加工の際の安全性や容易さ確実さ等を考慮することが必要となる。この場合、通常行なわれている作業形態を採用することが好ましい。このような作業形態として、作業員が回転工具にルータービットを取り付けて保持し、該ルータービットを回転させつつ壁に押し当てることで該壁を切削することが行なわれており、この作業を行なって壁に溝を形成することが好ましい。
【００２０】
上記の如く、回転させたルータービットによって壁を切削することで溝を形成する場合、該溝の形状を底面の中心を軸とした線対称形とすることが好ましい。このように線対称形の溝を形成する場合、予めルータービットを溝の断面形状に一致させて形成しておくことで、一度の切削作業で底面と傾斜面を形成することが可能となる。
【００２１】
しかし、必ずしもルータービットの形状を目的の溝の断面形状と一致させておく必要はなく、先ずドリル或いはエンドミル状のルータービットで切削し、次いでテーパ状のルータービットで傾斜面を切削しても、底面と傾斜面からなる溝を形成することが可能である。
【００２２】
上記の如く、壁に底面と傾斜面とからなり線対称形の溝が形成されている場合、この溝に水切金物の挿入片を挿入したとき、水切金物は何ら支持されるものがないため、水切金物の固定作業がし難くなる虞がある。また溝が下屋の防水を目的としている場合、ルーフィングの固定がし難くなる。
【００２３】
このため、溝を線対称形とした場合、底面と傾斜面との間に水平面を形成しておき、この水平面によって、挿入された水切金物の挿入片を支持し得るように構成することが好ましい。このように、底面と傾斜面との間に水平面を形成する場合であっても、ルータービットによって切削加工することで形成することが可能である。
【００２４】
水切金物は、底面と対応して設けた起立片と、この起立片と連続する挿入片と、壁の表面に対向する立上片からなる長尺状に形成され、挿入片を溝に挿入すると共に壁との間に防水シートを挟み込んだ状態で壁に固定されるものである。また挿入片と溝との間にはシーリング材が塗布，充填され、これにより、起立片と底面との間から水が浸入することを防止するものである。
【００２５】
このため、水切金物は、底面の高さと略等しいか或いは僅かに小さい寸法を持った起立片と、溝の深さと略等しい水平部分の長さを持った挿入片と、壁の表面に固定する際に釘やビスを用いるのに充分で、且つ壁の表面との間に防水シートを挟み込むのに充分な長さを持った立上片とを有している。このため、起立片と立上片は略平行な片として形成されるが、挿入片は両片に対し直角方向に、或いは傾斜を持って、更には曲線状に形成されていても良い。
【００２６】
水切金物は、鋼板によって構成されるのが一般的であるが、この材料に限定するものではなく、アルミニウムや銅板等の金属を用いて構成しても良い。
【００２７】
次に、本発明に係る防水構造の好ましい実施例について図１を用いて説明する。図１は防水構造の例を説明する断面図である。図２は溝Ａの他の例を説明する断面図である。図３は水切金物Ｂの他の例を説明する断面図である。図４は本発明に係る防水構造を適用する部位を説明する図である。
【００２８】
図４に示すように、住宅建築では、ベランダＣや下屋Ｄを構成することが多い。ベランダＣの床21は外壁や腰壁等の壁22によって周囲を囲まれており、且つ床21は屋内への水の浸入を防止するために厳重な防水工事が施工されている。この防水工事は、床21を構成する床パネル等の下地上に図示しない防水シートを敷き込み、更に防水保護材を施工した上で仕上げがなされている。このとき、防水シートは床の下地材に敷き込まれると共に壁22に沿って立ち上がり、予め壁22に形成された溝Ａに挿入されると共に壁22に固定された水切金物Ｂの立上片７の表面に溶着或いは接着されて固定されている。従って、防水シートが防水容器のような形状となり、これにより、床21と壁22との交差部位からの水を浸入を防止している。
【００２９】
上記溝Ａは、ベランダＣの床21に沿って該床21の全長にわたって形成されており、従って、溝Ａの全長にわたって水切金物Ｂが挿入されて防水構造が構成されている。
【００３０】
下屋Ｄの場合も同様に、壁22には下屋Ｄの屋根に沿った全長にわたって溝Ａが形成されている。また下屋Ｄは木下地と瓦等によって構成されるのが一般的であり、木下地の上面に図示しないルーフィングを敷き込み、このルーフィングを壁22に沿って立ち上げると共に、該壁22と溝Ａに挿入された水切金物Ｂの立上片７とによって挟み込んで固定することで、壁22と下屋Ｄの屋根との交差部位からの水の浸入を防止している。
【００３１】
次に、図１により本実施例に係る防水構造について説明する。図に於いて、溝Ａは、壁22の奥側に形成された底面１と、この底面１に連続して形成された水平面２と、更に水平面２に連続して形成され壁22の表面側に向かって寸法が大きくなる傾斜面３とを有して構成されている。特に、前記各面１〜３は、底面１の高さ方向の中心を軸とする線対称形に形成されている。
【００３２】
本実施例に於いて、底面１の高さは約13mmで形成され、上下両面に形成された傾斜面３の壁22の表面に於ける寸法は約34mmで形成されている。このような寸法を持った溝Ａは、先端部分の直径が13mmで、該ストレート部の長さが約４mm程度で、このストレート部の基部から所定角度のテーパ状に形成されたルータービットを回転工具に取り付けて操作することで、壁22に切削加工して形成することが可能である。
【００３３】
水切金物Ｂは鋼板を折り曲げ成形することによって、溝Ａの底面１と対向する起立片５と、起立片５と連続した挿入片６と、挿入片６に連続し壁22の表面に対向する立上片７とからなるクランク状に構成されている。
【００３４】
上記水切金物Ｂは、挿入片６が溝Ａに挿入されて先端部分が水平面２に載置されて支持されると共に起立片５が底面１側に押し付けられた状態で保持され、図示しない釘やビス等の固定具によって立上片７が壁22に打ち付けられて固定されている。このように、挿入片６の先端部分を溝Ａの水平面２によって支持することで、水切金物Ｂの固定作業を容易に行なうことが可能であり、且つ水切金物Ｂの床21に沿った水平状態を保証することも容易である。また壁22に固定された水切金物Ｂの立上片７の表面に図示しない防水シートが溶着或いは接着されて取り付けられている。
【００３５】
上記の如くして固定された水切金物Ｂの挿入片６の上表面と、この上表面と対向する溝Ａの傾斜面３の表面にシーリング材11が塗布，充填される。このとき、シーリング材11が前記各面３，６に対する接着力を確保するために、予め挿入片６の上表面と傾斜面３の表面にシーリングプライマー12が施工される。そしてシーリングプライマー12が確実に塗布されているか否かを確認した後、シーリングプライマー12が施工された面にシーリング材11が塗布，充填されている。
【００３６】
シーリングプライマー12の施工は塗布することで行なわれるが、溝Ａの上側が傾斜面３として形成されるため、作業員の目線が溝Ａよりも高い位置から見下ろすような場合であっても、溝Ａの内部を視認することが容易となり、確実に溝Ａの奥側（挿入片６の起立片５側や起立片５及び傾斜面３の奥側）にシーリングプライマー12を塗布することが可能となり、且つシーリング材11の塗布，充填に先立ってシーリングプライマー12の塗布状態を容易に確認することが可能となる。即ち、溝Ａにシーリングプライマー12の未塗布部分が発生することなく、従って、シーリング材11の溝Ａ，水切金物Ｂに対する接着性能の信頼性を向上することが可能となる。
【００３７】
溝Ａに対するシーリング材11の塗布充填は、の挿入片６の上表面及び傾斜面３にシーリングプライマー12を塗布した面にシーリング材11を塗布することで行なわれる。この作業は、溝Ａの正面側からシーリング材の塗布治具を対向させ、この塗布治具からシーリング材を注出しつつシーリングプライマー12の表面に接着することで行なわれるが、溝Ａの上面が傾斜面３によって構成されるため、シーリング材11を塗布すべき面が外側に向いていることとなり、容易に塗布することが可能である。
【００３８】
溝Ａは、上記断面形状以外に、図２に示す形状を持って形成することが可能である。即ち、底面１に連続して曲線状の傾斜面４が形成された溝Ａでは、防水構造を構成する上で、また作業を進める上で何ら障害が生じるものではない。
【００３９】
水切金物Ｂは、図１に示す形状以外に図３に示すような形状を持って形成するこが可能である。即ち、同図（ａ）は、起立片５と立上片７との間に、溝Ａの下側面に形成された傾斜面３と略同様な傾斜を持った挿入片８を設けたものであり、この水切金物Ｂは図２（ａ）に示す溝Ａに使用して有利である。また図３（ｂ）は曲線状の挿入片９を有するものであり、図２（ｂ）に示す溝Ａに使用して有利である。
【００４０】
【発明の効果】
以上詳細に説明したように本発明に係る防水構造では、床に沿って形成する溝の形状を、壁の奥側に形成した底面から壁の表面側に向けて寸法が大きくなる傾斜面を設けたので、この溝が床面に接近して形成されている場合であっても、外部から溝の内部への視認性を向上することが出来る。このため、シーリングプライマーを塗布する作業、及びシーリング材を塗布，充填する作業を行なう場合であっても、作業員が窮屈な姿勢で作業を行なう必要がなく、作業性を向上させると共に溝の内部を確実に視認して高い接着性能を確保し得るシーリング材の充填を行なうことが出来る。
【００４１】
また底面と溝の下方の傾斜面との間に水平面を設けた場合には、溝に挿入された水切金物の挿入片を載置して支持することが可能となり、水切金物を固定する作業を容易に行なうことが出来る。
【図面の簡単な説明】
【図１】  防水構造の例を説明する断面図である。
【図２】  溝Ａの例を説明する断面図である。
【図３】  水切金物Ｂの例を説明する断面図である。
【図４】  本発明に係る防水構造を適用する部位を説明する図である。
【図５】  従来の防水構造を説明する図である。
【符号の説明】
Ａ                    溝
Ｂ                    水切金物
Ｃ                    ベランダ
Ｄ                    下屋
１                    底面
２                    水平面
３，４                傾斜面
５                    起立片
６，８，９            挿入片
７                    立上片
11                    シーリング材
12                    シーリングプライマー
21                    床
22                    壁
【図１】
0004737851.tif 000002
【図２】
0004737851.tif 000003
【図３】
0004737851.tif 000004
【図４】
0004737851.tif 000005
【図５】
0004737851.tif 000006